(57)【要約】【課題】簡単かつ迅速に配置でき、迅速に動作状態にもたらすことが可能である核磁気共鳴画像化または磁気共鳴画像化システムを提供する。【解決手段】輸送可能なコンテナ内（３０）に収容され、画像化領域を備えた画像化磁石（１６）を含む可搬式磁気共鳴画像化または核磁気共鳴画像化システムであって、コンテナが、少なくとも３つのセクション、すなわち、画像化磁石を操作するために必要に応じてオペレータ（２４）を受け入れ、機器（２２）に接近することができるようにする第１のセクション（３２）と、画像化磁石を収容する第２のセクション（３４）と、画像化磁石の操作に必要であるが画像化磁石を操作するオペレータが接近する必要のない補助機器を収容する第３のセクション（３６）とに分割され、磁石の画像化領域への接近は第１のセクションから行われる。【選択図】図２
2007125384.tif 000002
【特許請求の範囲】
【請求項１】
輸送可能なコンテナ（３０）内に収容され、画像化領域を備えた画像化磁石（１６）を含む可搬式磁気共鳴画像化または核磁気共鳴画像化システムであって、コンテナ（３０）が、少なくとも３つのセクション、すなわち、
画像化磁石（１６）を操作するために必要に応じてオペレータ（２４）を受け入れ、機器（２２）に接近することができるようにする第１のセクション（３２）と、
画像化磁石（１６）を収容する第２のセクション（３４）と、
画像化磁石（１６）の操作に必要であるが画像化磁石（１６）を操作するオペレータ（２４）が接近する必要のない補助機器を収容する第３のセクション（３６）と
に分割され、
画像化磁石（１６）の画像化領域への接近は第１のセクション（３２）から行われる
ことを特徴とする可搬式磁気共鳴画像化または核磁気共鳴画像化システム。
【請求項２】
輸送可能なコンテナの第２のセクション（３４）が、画像化磁石を納めるための低温液体容器（１２）を収容する外側真空容器を構成し、低温液体容器と外側真空容器との間のスペースが真空排気されていることを特徴とする請求項１に記載の可搬式磁気共鳴画像化または核磁気共鳴画像化システム。
【請求項３】
輸送可能なコンテナが標準輸送コンテナであり、画像化磁石を収容する第２のセクションが請求項２に記載のクライオスタットを形成し、少なくとも１つの密封隔壁によって、第１のセクションが第２のセクション及び第３のセクションから分離されていることを特徴とする請求項１に記載の可搬式磁気共鳴画像化または核磁気共鳴画像化システム。
【請求項４】
画像化磁石が、遷移温度未満の温度まで冷却される超伝導磁石を含むことを特徴とする請求項１または３に記載の可搬式磁気共鳴画像化または核磁気共鳴画像化システム。
【請求項５】
可搬式コンテナの壁ともしあれば隔壁とが導電性材料から構成されて、画像化磁石を磁気遮蔽することを特徴とする請求項１、３、４の１つに記載の可搬式磁気共鳴画像化または核磁気共鳴画像化システム。
【請求項６】
第２のセクションの壁の内表面または外表面に断熱カバー（４７）が設けられていることを特徴とする請求項１、３〜５の１つに記載の可搬式磁気共鳴画像化または核磁気共鳴画像化システム。
【請求項７】
画像化磁石を支持する懸架部品（４４）が第２のセクションの隅に取付けられ、この懸架部品の長さは同様の寸法の同心円筒状外側真空室（１０）の場合より長いことを特徴とする請求項３乃至６の１つに記載の可搬式磁気共鳴画像化または核磁気共鳴画像化システム。
【請求項８】
画像化磁石が低温液体容器（１２）内の低温液体（１４）に浸漬されることによって冷却され、低温液体容器に、コンテナ外部から手が届くように取付けられた極低温冷凍器及びサービスタレット（４６）が設けられていることを特徴とする請求項４乃至７の１つに記載の可搬式磁気共鳴画像化または核磁気共鳴画像化システム。
【請求項９】
コンテナの本体に凹所が設けられ、この凹所内に、極低温冷凍器及びサービスタレットがコンテナの外形の外に実質的に突出しないように収容されていることを特徴とする請求項８に記載の可搬式磁気共鳴画像化または核磁気共鳴画像化システム。
【請求項１０】
画像化磁石がコンテナ内の防振マウントに支持されていることを特徴とする請求項１、３〜９の１つに記載の可搬式磁気共鳴画像化または核磁気共鳴画像化システム。
【請求項１１】
コンテナが防振マウントに取付けられていることを特徴とする請求項１、３〜１０の１つに記載の可搬式磁気共鳴画像化または核磁気共鳴画像化システム。
【請求項１２】
冷却機器を納めるための低温液体容器（１２）を収容する外側真空容器（３０）を含み、低温液体容器と外側真空容器の間のスペースが真空排気されているクライオスタットであって、外側真空容器が標準輸送コンテナの少なくとも一部の形に構成されていることを特徴とするクライオスタット。
【発明の詳細な説明】
【技術分野】
【０００１】
本発明は、核磁気共鳴（ＮＭＲ）画像化または磁気共鳴画像化（ＭＲＩ）システムに関する。特に、本発明は、実質的に動作条件で運ばれて、意図する設置場所に到着すると直ちに使用に応じられるように構成された核磁気共鳴（ＮＭＲ）画像化または磁気共鳴画像化（ＭＲＩ）システムに関する。
【背景技術】
【０００２】
核磁気共鳴（ＮＭＲ）画像化または磁気共鳴画像化（ＭＲＩ）システムは、さまざまな病状の診断及び治療に役立つ貴重な情報を提供することが知られている。しかし、このような装置は、購入コストが極めて高く、極めて大型で重く、現行の設置方法はかなり高くつき比較的恒久的である。
【発明の開示】
【発明が解決しようとする課題】
【０００３】
本発明の課題は、簡単かつ迅速に配置でき、迅速に動作状態にもたらすことができる核磁気共鳴（ＮＭＲ）画像化または磁気共鳴画像化（ＭＲＩ）システム、およびクライオスタットを提供することにある。
【課題を解決するための手段】
【０００４】
核磁気共鳴画像化または磁気共鳴画像化システムに関する課題は、本発明によれば、輸送可能なコンテナ内に収容され、画像化領域を備えた画像化磁石を含む可搬式磁気共鳴画像化または核磁気共鳴画像化システムであって、コンテナが、少なくとも３つのセクション、すなわち、
画像化磁石を操作するために必要に応じてオペレータを受け入れ、機器に接近することができるようにする第１のセクションと、
画像化磁石を収容する第２のセクションと、
画像化磁石の操作に必要であるが画像化磁石を操作するオペレータが接近する必要のない補助機器を収容する第３のセクションと
に分割され、
磁石の画像化領域への接近は第１のセクションから行われることによって解決される。
【０００５】
核磁気共鳴画像化または磁気共鳴画像化システムに関する本発明の実施態様は次の通り列記される。
輸送可能なコンテナの第２のセクションが、画像化磁石を納めるための低温液体容器を収容する外側真空容器を構成し、低温液体容器と外側真空容器との間のスペースが真空排気されている。
輸送可能なコンテナが標準輸送コンテナであり、画像化磁石を収容する第２のセクションが請求項２に記載のクライオスタットを形成し、少なくとも１つの密封隔壁によって、第１のセクションが第２のセクション及び第３のセクションから分離されている。
画像化磁石が、遷移温度未満の温度まで冷却される超伝導磁石を含む。
可搬式コンテナの壁ともしあれば隔壁とが導電性材料から構成されて、画像化磁石を磁気遮蔽する。
第２のセクションの壁の内表面または外表面に断熱カバーが設けられている。
画像化磁石を支持する懸架部品が第２のセクションの隅に取付けられ、この懸架部品の長さは同様の寸法の同心円筒状外側真空室の場合より長い。
画像化磁石が低温液体容器内の低温液体に浸漬されることによって冷却され、低温液体容器に、コンテナ外部から手が届くように取付けられた極低温冷凍器及びサービスタレットが設けられている。コンテナの本体に凹所が設けられ、この凹所内に、極低温冷凍器及びサービスタレットがコンテナの外形の外に実質的に突出しないように収容されている。
画像化磁石がコンテナ内の防振マウントに支持されている。
コンテナが防振マウントに取付けられている。
【０００６】
クライオスタットに関する課題は、本発明によれば、冷却機器を納めるための低温液体容器を収容する外側真空容器を含み、低温液体容器と外側真空容器の間のスペースが真空排気されているクライオスタットであって、外側真空容器が標準輸送コンテナの少なくとも一部の形に構成されていることによって解決される。
【０００７】
本発明のシステムは、核磁気共鳴（ＮＭＲ）画像化または磁気共鳴画像化（ＭＲＩ）システムが緊急に必要とされる、すなわち時間が制限される場合に、特に役立つ。本発明のシステムの輸送及び設置コストの低下によって、このようなシステムの利用コストが低下する。
【０００８】
本発明のシステムは、任意の都合の良い輸送方法で世界中に容易に輸送することが可能であり、遠隔地域または天災または人災を被った地域に空輸することさえ可能である。
【０００９】
本発明によれば、画像化領域を備える画像化磁石を含む可搬式磁気共鳴画像化または核磁気共鳴画像化システムが得られるが、このシステムは輸送可能なコンテナ内に収容される。このコンテナは少なくとも３つのセクション、すなわち、画像化磁石を操作するために必要に応じてオペレータを受け入れて、機器に接近することができるようにする第１のセクションと、画像化磁石を収容する第２のセクションと、画像化磁石の操作に必要であるが画像化磁石を操作するオペレータが接近する必要のない補助機器を収容する第３のセクションとに分割され、磁石の画像化領域への接近は第１のセクションから行われる。
【００１０】
本発明によれば、冷却機器を納めるための低温液体容器を収容する外側真空容器を含むクライオスタットも得られるが、低温液体容器と外側真空容器との間のスペースは真空排気されている。外側真空容器は標準的な輸送コンテナの少なくとも一部分の形に構成されている。
【００１１】
本発明の以上の及びその他の課題、特性及び利点については、添付の図面と共に、例証だけのために示されたいくつかの実施形態に関する以下の説明を検討することによってより明白になるであろう。
【発明を実施するための最良の形態】
【００１２】
図１には、核磁気共鳴（ＮＭＲ）画像化または磁気共鳴画像化（ＭＲＩ）システムの主要構成要素の概略が示されている。クライオスタットには、低温液体１４を収容する低温液体容器１２と、低温液体の沸点まで冷却された超伝導磁石１６とを納めた外側真空容器１０が含まれている。低温液体容器１２への熱流入と、超伝導磁石１６の動作によって低温液体容器１２内に発生した熱の影響とを弱めるため、極低温冷凍器１８が設けられている。周知のように、このシステムには、均一な画像化磁場、傾斜磁場及び高周波ＲＦ磁場を発生するために、多くの磁気コイルが含まれている。シールド及び他のコイルを設けることも可能である。患者を画像化位置にもたらして画像化領域に入れるように、中央患者ボア４０が設けられている。外側真空容器１０からの放射による低温液体容器１２への熱流入を減らすために、熱放射シールド２０が設けられている。
【００１３】
一般に制御コンピュータ２２により、各種磁気コイルに流入する電流が制御され、画像データが受信及び処理される。オペレータ２４によって制御コンピュータ２２が操作される。一般には電子システムである制御システム２６と、ガス圧縮機２８と、電力供給源と、ガス圧縮機２８を冷却するための冷却装置２９というような他の機器、及び、場合によってはそれら以外の機器も設けなければならない。
【００１４】
図２には、標準的な輸送コンテナと同じ寸法のコンテナ３０内に収容されたＭＲＩシステムを含む本発明の実施形態の軸線方向断面図が示されている。このような輸送コンテナは、世界中でよく見かけられ、あらゆる種類の品物にとって便利な保管及び運送用コンテナになる。コンテナは、個々に、大型トラックまたは鉄道車両で、あるいは、貨物船で大量に運搬することが可能である。コンテナは航空機の貨物倉に積み込んで空輸することが可能である。コンテナは一般に２０フィート（６．１ｍ）または４０フィート（１２．２ｍ）の標準的な長さに決められている。コンテナは一般に鋼部材の枠体に取付けられた波形鋼板から形成される。本発明に用いられる輸送コンテナは、このような典型的なコンテナであってもよく、あるいは、外のり寸法の規格とこのような標準的な輸送コンテナに要求される他の特性とを満たし、同時に本発明に関して要求される機械強度のような固有の特性をもたらすコンテナとして特別に設計または製造することも可能である。
【００１５】
図２に例示のように、コンテナ３０は３つの個別領域３２、３４、３６に分割することが可能である。
【００１６】
便宜上コンピュータエリアとも呼ばれる第１の領域３２は、コンピュータ２２を収容し、オペレータ２４を受け入れることができると望ましい。この領域３２は、ＮＭＲまたはＭＲＩシステムの磁石の患者ボア（患者収容穴）４０への出入りもできる。このコンピュータエリア内に、患者３８が受入れられて画像化を準備され、患者ボア４０内に送り込まれる。オペレータ２４は、コンピュータ２２を操作して、患者３８が被っている可能性のある病状の診断または治療に役立つ画像を得るためにシステムを正確に動作させる。
【００１７】
便宜上ＭＲＩエリアとも呼ばれる第２の領域３４には、一般に、ソレノイド磁石であるＭＲＩ磁石１６が収容され、中央患者ボア４０がコンテナ３０の長手軸線に沿って配置されている。もちろん、磁石及びコンテナのサイズの機械的制限内で他の向きも可能である。この領域３４についてはさらに詳細に後述する。オペレータ２４及び患者３８の視点から、ＭＲＩシステムの美的外観を改善するために、隔壁４３と患者ボア４０の内部とを覆うルックカバーを設けるのが望ましい。
【００１８】
便宜上キャビネットエリアとも呼ばれる第３の領域３６には、電力供給源と、ガス圧縮機と、ガス圧縮機を冷却するための冷却器と、燃料、ガス及び水タンクというような残りの機器、すなわちＭＲＩシステムの操作中にオペレータ２４が接近する必要のない機器が収容されている。
【００１９】
図３及び図４には、本発明のある特定の実施形態のＭＲＩエリア３４がさらに詳細に例示されている。本発明のこの実施形態によれば、コンテナの壁と適切な密封隔壁４２、４３とを含むＭＲＩエリア３４を収容するコンテナ３０の一部が、低温液体容器の周りに外側真空容器を形成している。密封隔壁４２、４３が密閉真空容器を形成する。コンテナ３０の壁及び隔壁４２、４３は鋼のような導電性材料から造られている。これは、磁石に外部干渉に対する磁気及びＲＦシールドを施すのに役立ち、ＭＲＩシステムによる磁場がコンテナ３０から漏洩するのを制限するのに役立つ。
【００２０】
図３に例示のように、コンテナ３０の材料によって施された磁気シールドは、従来のＭＲＩ施設で一般に用いられる磁気シールドよりもいっそう近接している。ＭＲＩ磁石の設計は磁気シールドの近接性を考慮して調整しなければならない。熱放射シールド２０は、コンテナ３０の壁からの熱放射による熱流入を阻止するために、コンテナ３０の壁と低温液体容器１２との間、及び、低温液体容器１２と患者ボア４０との間に配置されている。コンテナ３０の壁からの熱放射による熱流入の速度を安定化するために、さらに場合によっては制限するために、壁の内表面または外表面に、及びＭＲＩエリアの隔壁に断熱カバー４７を設けると望ましい。
【００２１】
コンテナ壁及び隔壁をクライオスタットの外側真空室として利用することによって、磁石１６と低温液体容器１２とを支持する懸架部品４４は、同様の寸法の同心円筒状の外側真空室１０の場合よりも長い最大可能長さになるように設計することが可能である。このような細長い懸架部品４４によって、従来の懸架部品に比べると耐熱性が増し、懸架素子を介する伝導による低温液体容器１２への熱流入量が低下する。
【００２２】
図３に例示のように、コンテナ外部から手が届くように、極低温冷凍器及びサービスタレット４６を取付けることが可能である。これによってシステムの保守がかなり容易になる。極低温冷凍器を収容し、保守のために低温液体容器に触れることができるようにする、システムのネック管４８は、従来の同軸円筒状の外側真空容器１０を備えるＭＲＩシステムのために設けられたネック管に比べて長くすることが可能である。これは、従来のネック管に比べて、耐熱性を増し、ネック管を介する伝導による低温液体容器１２への熱流入量を低下させるのに役立つ。
【００２３】
コンテナ３０の本体に凹所を設けて、この凹所内に極低温冷凍器及びサービスタレット４６を収容し、コンテナ３０の外形の外に実質的に突出しないようにすると有利である。
【００２４】
図４には、低温液体容器１２を保持するために設けられた支持部材４４、および熱放射シールド２０を保持するために設けられた支持部材４４が例示されている。図面には、明確にするため、全ての構成要素が描かれているわけではない。図４では、超伝導コイル５０の典型的な配置がやはり略示されている。
【００２５】
コンテナ内の防振マウントに磁石を取付けることもできるし、あるいは、防振マウントにコンテナ３０全体を取付けることも可能である。コンテナ全体のための防振マウントを設けることによって、動作時に、建築物内の床伝播振動がＭＲＩシステムによって生じる画像に悪影響を及ぼすのを阻止することが可能になる。
【００２６】
本発明によるＭＲＩまたはＮＭＲシステムは、２つの主たる構成、すなわち、移動構成及び現場構成で用いることが可能である。
【００２７】
移動構成の場合、ＭＲＩシステムは、一般に貨物トラックによって仮の場所に輸送されて、ある必要な時間の間ほぼ単独で動作させられ、その後次の仮の場所まで輸送される。滞在期間中、診療または臨床現場でシステムを降ろすことによって、または、貨物トラックを固定して貨物トラックに積んだままシステムを操作することによって、低コストのＭＲＩサービスを施すことが可能になる。好都合なことに、コンテナは、貨物トラック上にある間、及び／または、降ろされた時、防振マウントに取付けることが可能である。
【００２８】
現場構成で用いられる場合、本発明のＭＲＩシステムは、造り付けのモジュール型コンポーネントとして新しい建造物または既存の建造物に送られる。こうして設置される本発明の利点は、現場での設置時間が大幅に短縮され、磁石とその補助機器との接続が既に完了してテスト済みになっている点にある。このシステムは、配送し、適切な場所に設置し、電源及び低温液体供給源に接続して、配送後極めて迅速に使用準備を整えることが可能である。好都合なことに、コンテナは設置時に防振マウント上に取付けることが可能である。
【００２９】
本発明によるＭＲＩシステムの設計時には、輸送中、コンテナを安全に持ち上げることができるように、コンテナ４０内の機器の配置を慎重に考慮する必要がある。これは、システムがコンテナの中身について知らない作業者による商業運送サービスによって送られる場合、とりわけ重要になる。
【００３０】
ＭＲＩ磁石が、その宛先への到着時にその動作温度を有するようにするために、低温液体容器には、かなりの量の、すなわち、予想された最長輸送時間の間磁石を動作温度に保つのに十分で、かつ、移動システムの配備時間の間磁石を動作温度に保つのに十分な量の低温液体が注入される。というのも、配置現場では、補給のための低温液体の供給源を確保するのが困難であるからである。いったん利用されると、極低温冷凍器がシステムを冷却するので、低温液体の沸騰は抑えられるかまたは解消される。
【００３１】
望ましい実施形態において、本発明の可搬式ＭＲＩまたはＮＭＲシステムには、発電機、ガス圧縮機、及び、適切な冷却装置が設けられ、システムの運送中、極低温冷凍器を動作させることによって低温液体の沸騰を抑えるかまたは解消することができるようになっていてもよい。
【００３２】
本発明の説明はＭＲＩシステムに関連して行ってきたが、本発明は、ある部分の低温冷却を必要とする任意のシステムとりわけ医用システムに有効に用いることが可能である。同様に、本発明の説明は、低温液体容器に浸漬することによって冷却される磁石を含むシステムに関連して行ってきたが、本発明は、他の手段によって冷却される磁石、または、冷却を必要としない磁石にさえ適用可能である。このような代替案は付属の１つまたは複数の請求項の範囲内に含まれる。
【００３３】
標準的な輸送コンテナが、下記の最も一般的なサイズを含むある範囲内のサイズで利用可能である。これらのサイズはＩＳＯ国際標準化機構によって規制されている。
【００３４】
輸送コンテナはいくつかのＩＳＯ標準構成で設計されている。貨物輸送産業で最もよく用いられる輸送コンテナは、合計で、既存の輸送コンテナ総数の約８０〜９０％を占めると推定される２０ｆｔ及び４０ｆｔ輸送コンテナである。
【００３５】
下記の輸送コンテナのサイズは工業規格であるが、どの発送ラインが利用されるかによって、輸送コンテナサイズにわずかなばらつきが生じることがある。他の標準サイズには、特に米国の場合、４５ｆｔ（１３．７ｍ）、４８ｆｔ（１４．６ｍ）、及び、５３ｆｔ（１６．２ｍ）がある。
【００３６】
【表１】
2007125384.tif 000003
【図面の簡単な説明】
【００３７】
【図１】従来のＮＭＲまたはＭＲＩシステムの主要構成要素の概略図
【図２】本発明の実施形態によるＮＭＲまたはＭＲＩシステムの軸線方向断面の概略図
【図３】ＩＩＩ−ＩＩＩ線に沿って描かれた図２のＮＭＲまたはＭＲＩシステムの断面の概略図
【図４】図２のシステムの中央部分の軸線方向断面の図２の部分拡大図
【符号の説明】
【００３８】
１０  外側真空容器
１２  低温液体容器
１４  低温液体
１６  超伝導磁石
１８  極低温冷凍器
２０  熱放射シールド
２２  制御コンピュータ
２６  制御システム
２８  ガス圧縮機
２９  冷却装置
３０  コンテナ
３２  コンピュータエリア
３４  ＭＲＩエリア
３６  キャビネットエリア
４０  患者ボア
４２  密封隔壁
４３  密封隔壁
４４  懸架部品
４６  サービスタレット
４８  ネック管
５０  超伝導コイル
【図１】
2007125384.tif 000004
【図２】
2007125384.tif 000005
【図３】
2007125384.tif 000006
【図４】
2007125384.tif 000007